(57)【要約】【課題】通気抵抗など他の性能に支障をなく、フード部に形成した凸部を有する開口部により、室内への雨水や異物の侵入を低減しメンテナンス性の向上を目的とする。【解決手段】フード部９の内部に向かって上方に外気と連通する凸部１０を有した開口部１１を設けた構成により、下面５の開口６を通じて侵入した風雨は、凸部１０の開口部１１を通じて風圧力が開放されるため、雨水が下面５の開口６を通じて滴下する。また飛来した異物は凸部１０の外面１２に衝突し下方落下へと誘導でき、フード部９内に侵入しないので、室内への異物浸入防止用のネット７を構成する場合には、フード部９の下面５に配設可能になり、目詰まり状態を目視確認できメンテナンス性が向上できる外壁端末換気口を得られる。【選択図】図１
2014181875.tif 000002
【特許請求の範囲】
【請求項１】
ダクトに接続される筒状部と、この筒状部の外方で室外側に設けられるベース部と、このベース部の前記室外側を囲む形状で正面および天面を閉口し、かつ下面に開口を形成したフード部と、このフード部の内部に向かって上方に外気と連通する凸部を有した開口部を設けたことを特徴とする外壁端末換気口。
【請求項２】
開口部を、フード部の側面に設けたことを特徴とする請求項１に記載の外壁端末換気口。
【請求項３】
開口部を、フード部の正面と側面を連結する傾斜面に設けたことを特徴とする請求項１に記載の外壁端末換気口。
【請求項４】
凸部を、フード部の内外を連通するよう上方に開口を有した当板で形成したことを特徴とする請求項１〜３のいずれかに記載の外壁端末換気口。
【請求項５】
凸部を、開口部の下端より高い位置に、凸部の下端を配設することを特長とする請求項１〜４のいずれかに記載の外壁端末換気口。
【請求項６】
凸部を、開口部の上端より高い位置に、凸部の上端を配設することを特徴とする請求項１〜５のいずれかに記載の外壁端末換気口。
【請求項７】
凸部の上端にネットを設けたことを特徴とする請求項１〜６のいずれかに記載の外壁端末換気口。
【発明の詳細な説明】
【技術分野】
【０００１】
本発明は、室内に設けた換気装置と連動するダクトの端部に接続される形状で外壁に設けられる外壁端末換気口に関するものである。
【背景技術】
【０００２】
従来、この種の外壁端末換気口の一例として、屋外フードが知られている。（例えば、特許文献１参照）。
【０００３】
以下、その外壁端末換気口について図８および図９を参照しながら説明する。
【０００４】
図８および図９に示すように、外壁１０１に取付けられる略中央に開口部１０２を有した本体１０３と、正面１０４および天面１０５と側面１０６を閉口して形成したフード１０７と、このフード１０７の前記正面１０４と前記側面１０６に設けられる両者を連結する形状の傾斜面１０８に空気の流通する開口１０９を形成したことを特徴としていた。
【０００５】
上記の構成では、フード１０７の下部開口１１０を通じて浸入した風雨が、傾斜面１０８に設けた開口１０９を通じて開放される為、本体１０３に設けた略中央の開口部１０２からダクト１１１を通じて室内１１２への雨水浸入が低減できた。
【０００６】
また、室内１１２の汚染された空気が換気される場合、本体１０３に設けた開口部１０２からフード１０７の下部開口１１０と傾斜面１０８に設けた開口１０９を通じて、外壁面１０１より遠ざかった方向の室外１１３に排出されることとなり、外壁面１０１が汚染されるのを低減できる作用を有していたことが知られていた。
【先行技術文献】
【特許文献】
【０００７】
【特許文献１】特許第３９８３５３８号公報
【発明の概要】
【発明が解決しようとする課題】
【０００８】
このような従来の外壁端末換気口においては、傾斜面１０８に開口１０９を形成することで、前記開口１０９に直接風雨やゴミ等の異物が浸入した場合、本体１０３の開口部１０２を通じて室内１１２に侵入してしまう恐れがありという課題を有していた。
【０００９】
また、フード１０７の下部開口１１０を介しての異物浸入防止のためネット（図示せず）を構成させる場合には、傾斜面１０８に形成した開口１０９からフード１０７内に雨水やゴミ等の異物が浸入しネット（図示せず）上で堆積目詰りし換気性能に支障を生じないように、本体１０３に設けた開口部１０２に面して配設させる必用があり、フード１０７内部に配設されるネット（図示せず）の汚れや目詰まり状態確認がフード１０７の下部開口１１０からしづらいため、メンテナンス性の向上に課題があった。
【００１０】
そこで本発明は、上記従来の課題を解決するものであり、通気抵抗など他の性能に支障なく、フード部に形成した凸部を有する開口部により、室内への雨水や異物の侵入を低減しメンテナンス性を向上させることができる外壁端末換気口を提供することを目的とする。
【課題を解決するための手段】
【００１１】
そして、この目的を達成するために、本発明は、ダクトに接続される筒状部と、この筒状部の外方で室外側に設けられるベース部と、このベース部の前記室外側を囲む形状で正面および天面を閉口し、かつ下面に開口を形成したフード部と、このフード部の内部に向かって上方に外気と連通する凸部を有した開口部を設けたこととしたものであり、これにより所期の目的を達成するものである。
【発明の効果】
【００１２】
本発明によれば、ダクトに接続される筒状部と、この筒状部の外方で室外側に設けられるベース部と、このベース部の前記室外側を囲む形状で正面および天面を閉口し、かつ下面に開口を形成したフード部と、このフード部の内部に向かって上方に外気と連通する凸部を有した開口部を設けたという構成にしたことにより、通常の換気時には、フード部の下面の開口と凸部の開口部から、室内の汚染された空気が排気され、清浄な空気が室内に給気される。雨天時にはフード部の下面開口を通じてフード部内に侵入した風雨は、フード部に形成された凸部の開口部を通じて風圧力が開放されるため、飛散浸入した雨水の勢いも弱められフード部内壁やベース部表面に付着するなどの過程を経て、大半がフード部の下面の開口を通じて滴下される。また、凸部の上方に開口部を設けたので、飛来したゴミ等の異物は凸部外面に衝突し、フード部内に侵入することなく下方へ落下していくこととなるので、通気抵抗など他の性能に支障をきたすことなく、室内への雨水侵入を低減し、フード部の下面の開口からの室内の異物浸入防止用のネットを構成する場合には、フード部の下面に配設が可能になり、目詰まり状態を目視で容易に確認でき、メンテナンス性が向上できるという効果を得ることができる。
【図面の簡単な説明】
【００１３】
【図１】本発明の実施の形態１の外壁端末換気口の分解斜視図
【図２】同外壁端末換気口の凸部の正面断面図
【図３】本発明の実施の形態２の外壁端末換気口の分解斜視図
【図４】本発明の実施の形態３の外壁端末換気口の凸部の正面断面図
【図５】本発明の実施の形態４の外壁端末換気口の凸部の正面断面図
【図６】本発明の実施の形態５の外壁端末換気口の凸部の正面断面図
【図７】本発明の実施の形態６の外壁端末換気口の凸部の正面断面図
【図８】従来の外壁端末換気口の風の流れを示す上面断面図
【図９】同外壁端末換気口の斜視図
【発明を実施するための形態】
【００１４】
本発明の請求項１記載の外壁端末換気口はダクトに接続される筒状部と、この筒状部の外方で室外側に設けられるベース部と、このベース部の前記室外側を囲む形状で正面および天面を閉口し、かつ下面に開口を形成したフード部と、このフード部の内部に向かって上方に外気と連通する凸部を有した開口部を設けたという構成を有する。
【００１５】
これにより、通常の換気時には、フード部の下面の開口と凸部の開口部から、室内の汚染された空気が排気され、清浄な空気が室内に給気される。雨天時にはフード部の下面開口を通じてフード部内に侵入した風雨は、フード部に形成された凸部の開口部を通じて風圧力が開放されるため、飛散浸入した雨水の勢いも弱められフード部内壁やベース部表面に付着するなどの過程を経て、大半がフード部の下面の開口を通じて滴下される。また、      上方に外気と連通する凸部を有した開口部を設けたので、飛来したゴミ等の異物は凸部の外面に衝突し、フード部内に侵入することなく下方へ落下していくこととなるので、通気抵抗など他の性能に支障をきたすことなく、室内への雨水侵入を低減し、フード部の下面の開口からの室内の異物浸入防止用のネットを構成する場合には、フード部の下面に配設が可能になり、目詰まり状態を目視で容易に確認でき、メンテナンス性が向上できるという効果を奏する。
【００１６】
また、開口部を、フード部の側面に設けた、という構成にしてもよい。
【００１７】
これにより、室内の汚染された空気が凸部に沿って開口部から排気され、外壁面から遠ざかる方向に排出されるとなるので、フード部の開口部から排気される汚染空気による壁面の汚れが低減できる、という効果を奏する。
【００１８】
また、開口部を、フード部の正面と側面を連結する傾斜面に設けた、という構成にしてもよい。
【００１９】
これにより、室内の汚染された空気が凸部に沿って開口部から排気され、より外壁面から遠ざかる方向に排出されるとなるので、よりフード部の開口部から排気される汚染空気による壁面の汚れが低減できる、という効果を奏する。
【００２０】
また、凸部を、フード部の内外を連通するよう上方に開口を有した当板で形成した、という構成にしてもよい。
【００２１】
これにより、凸部を有する開口部が当板として別パーツで覆い形成されることとなるので、凸部の加工上の形状制約を低減しデザイン自由度を向上させるとともに、加工費用を低減することができる、という効果を奏する。
【００２２】
また、凸部を、開口部の下端より高い位置に、凸部の下端を配設する、という構成にしてもよい。
【００２３】
これにより、フード部の開口部と凸部との間にゴミ等の異物の滞留が生じるような段差が生じないこととなるので、凸部と開口部との間に、雨水やゴミ等の異物が滞留するのが低減できる、という効果を奏する。
【００２４】
また、凸部を、開口部の上端より高い位置に、凸部の上端を配設する、という構成にしてもよい。
【００２５】
これにより、開口部から凸部内に飛来した雨水やゴミ等の異物が、より凸部外面に衝突し、フード部下方への落下へと誘導されることとなるので、開口部から凸部内に飛来した雨水やゴミ等の異物が、フード部内に侵入するのを低減できる、という効果を奏する。
【００２６】
また、凸部の上端にネットを設けた、という構成にしてもよい。
【００２７】
これにより、開口部から凸部内に飛来した雨水やゴミ等の異物が、凸部の上端に配設されたネットにより、フード部内への浸入が低減されることとなるので、開口部から凸部内に飛来した雨水やゴミ等の異物が、より、フード部内に侵入するのを低減できる、という効果を奏する。
【００２８】
以下、本発明の実施の形態について図面を参照しながら説明する。
【００２９】
（実施の形態１）
図１および図２に示すように、室内に連通するダクト（図示せず）に接続される筒状部１と、この筒状部１の外方で外壁（図示せず）に面してすなわち接して室外側に設けられる下方に排気流を整流させる機能をもたせた外壁から下方へ離れる方向に傾斜有した水切板を設けた中央に開口を設けた方形状のベース部２と、このベース部２の前記室外側を囲む形状で正面３および天面４を閉口し、かつ下面５に開口６を形成したフード部９と、このフード部９の内部に向かって上方に外気と連通する内部に下方は曲面を有し上方は開口を有した突起状の凸部１０を有した開口部１１を側面８（この実施の形態においては）に設けた、という構成である。
【００３０】
この構成によって、通常の換気時には、室内に連通するダクト（図示せず）を介し、フード部９の下面５の開口６と凸部１０の開口部１１から、室内の汚染された空気が排気され、また、清浄な空気が室内に給気される。
【００３１】
すなわち、排気の場合は、室内の空気は換気機器からダクト介して筒状部１を通してフード部９の内部に当たって下方の下面５の開口６から室外へ排気されるとともに、凸部１０の上方の開口から下方の曲面に沿ってフード部９から離れる方向へ排気される。
【００３２】
そして、給気の場合は、室外の空気が下面５の開口６から吸込まれるとともに、凸部１０の開口部１１からも室外の空気が吸込まれ、筒状部１を介してダクトと通して室内へ供給される。
【００３３】
雨天時には、フード部９の下面５の開口６を通じてフード部９内に侵入した風雨は、フード部９に形成された凸部１０の上方の開口から入って開口部１１を通じて排出され風圧力が開放されるすなわち筒状部１方向への風圧が弱まるため、飛散浸入した雨水の吸込まれる勢いも弱められ、筒状部１やダクト（図示せず）を介して室内に浸入することなく、フード部９内壁やベース部２表面に付着するなどの過程を経て、大半がフード部９の下面５の開口６を通じて重力に従って滴下される。
【００３４】
また、上方に外気と連通する凸部１０を有した開口部１１を設けたので、飛来したゴミ等の異物は凸部１０の外面１２に衝突し、フード部９内に侵入することなく確実に下方への落下を誘導し、フード部９のデザインも従来の技術に開示したように下面５の開口６以外で大きく開口を形成しないので、内部への異物侵入に繋がる不安感を連想させることがなく、同様に、室内への異物浸入防止用のネット７を構成させる場合には、フード部９の開口からゴミ等の異物が浸入し内部で堆積することで換気性能に支障をきたさないようベース部２に面してネットを配設させなければなく目詰まり状態等の確認が容易でなくメンテナンス性に課題があったが、本構成によればフード部９の下面５の開口６へネット７配設が可能になり、目詰まり等の使用状態を目視で容易に確認ができるのでメンテナンス性の向上ができる。
【００３５】
また、室内の汚染された空気がフード部９の下面５の開口６から排気されることで生じる外壁（図示せず）面の汚れ防止のため、フード部９の下面５の開口６近傍に外壁（図示せず）面から遠ざかる方向に排出できるように整流板を兼ねたガラリ（図示せず）を配設させることがあるが、本構成によればガラリ（図示せず）とネット７を一体にして併設させることが可能になり、構成部品の簡略化や部品点数減から製造原価低減ができる。
【００３６】
よって、通気抵抗など他の性能に支障をきたすことなく、室内への雨水侵入を低減し、
フード部９の下面５の開口６からの室内の異物浸入防止用のネット７を構成する場合には、フード部９の下面５の開口６に配設が可能になり、目詰まり状態を目視で容易に確認でき、メンテナンス性が向上できるという効果を奏することになる。
【００３７】
なお、凸部１０の下方を曲面と説明したが、異物が堆積しない形状なら何でもよく傾斜状でも良い。
【００３８】
（実施の形態２）
実施の形態１と同じところには同じ符号とし、その詳細な説明は省略する。
【００３９】
図３に示すように、開口部１１Ａを、フード部９Ａの正面３Ａと側面８Ａを連結する傾斜面１３に設けた、という構成である。
【００４０】
この構成によって、室内の汚染された空気が筒状部１より汚染された空気が流れる方向寄りに開口部１１Ａを設けることになるので、直接凸部１０Ａの上方の開口へ導くのでスムーズに凸部１０Ａに沿って開口部１１Ａから排気され、より外壁（図示せず）面から遠ざかる方向に排出され、よりフード部９Ａの開口部１１Ａから排気される汚染空気による外壁（図示せず）面の汚れが低減でき、通気抵抗の低減もできる、という効果を奏することになる。
【００４１】
（実施の形態３）
図４に示すように、凸部１０Ｂを、フード部９Ｂの内外を連通するよう上方に開口１４を有した当板１５で形成し、フード部９Ｂへ溶接させ固定する、という構成である。
【００４２】
この構成によって、凸部１０Ｂを有する開口部１１Ｂが当板１５として別パーツで覆い形成されることとなるので、凸部１０Ｂの加工上の形状制約を低減し、開口部１１Ｂを目立たなくさせることが可能になるなどデザイン自由度を向上させるとともに、複雑な金型や部品成型時間を要することなく加工費用を低減することができる、という効果を奏することになる。
【００４３】
（実施の形態４）
図５に示すように、凸部１０Ｃを、開口部１１Ｃの下端１６より高い位置に、凸部１０Ｃの下端１７を配設する、という構成である。
【００４４】
この構成によって、飛来したゴミ等の異物がフード部９Ｃの開口部１１Ｃから凸部１０Ｃ内に侵入した場合に、開口部１１Ｃと凸部１０Ｃとの間にゴミ等の異物の滞留が生じるような隙間や段差が生じないこととなるので、凸部１０Ｃと開口部１１Ｃとの間に、雨水が残留による錆の発生やゴミ等の異物が滞留することで生じる換気性能への悪影響や製品の美観を損ねるのが低減できる、という効果を奏することになる。
【００４５】
（実施の形態５）
図６に示すように、凸部１０Ｄを、開口部１１Ｄの上端１８より高い位置に、凸部１０Ｄの上端１９を配設する、という構成である。
【００４６】
この構成によって、開口部１１Ｄから凸部１０Ｄ内に飛来した雨水やゴミ等の異物が、フード部９Ｄ内に侵入するには、開口部１１Ｄの上端１８より高い位置にある凸部１０Ｄの上端１９を重力に逆らって乗り越えなければならないので、より凸部１０Ｄの外面１２Ａに衝突し、フード部９Ｄ下方への落下へと誘導されることとなる。よって開口部１１Ｄから凸部１０Ｄ内に飛来した雨水やゴミ等の異物が、フード部９Ｄ内に侵入するのを低減できる、という効果を奏することになる。
【００４７】
（実施の形態６）
図７に示すように、凸部１０Ｅの上端１９Ａにネット２０を設けた、という構成である。
【００４８】
この構成によって、開口部１１Ｅから凸部１０Ｅ内に飛来した雨水やゴミ等の異物が、凸部１０Ｅの上端１９Ａに配設されたネット２０により、フード部９Ｅ内への浸入がより確実に低減されることとなるので、開口部１１Ｅから凸部１０Ｅ内に飛来した雨水やゴミ等の異物が、より、フード部９Ｅ内に侵入するのを低減できる、という効果を奏することになる。
【産業上の利用可能性】
【００４９】
本発明にかかる外壁端末換気口は、通気抵抗など他の性能に支障をきたすことなく、室内への雨水侵入を低減し、室内の異物浸入防止用のネットを構成する場合には、フード部の下面に配設が可能になり、目詰まり状態を目視で容易に確認でき、メンテナンス性が向上を可能とするものであって、空気調和機、熱交換気扇等に組み合わせて外壁等に取付けられるフード等として有用である。
【符号の説明】
【００５０】
１      筒状部
２      ベース部
３      正面
３Ａ    正面
４      天面
５      下面
６      開口
７      ネット
８      側面
８Ａ    側面
９      フード部
９Ａ    フード部
９Ｂ    フード部
９Ｃ    フード部
９Ｄ    フード部
９Ｅ    フード部
１０    凸部
１０Ａ  凸部
１０Ｂ  凸部
１０Ｃ  凸部
１０Ｄ  凸部
１０Ｅ  凸部
１１    開口部
１１Ａ  開口部
１１Ｂ  開口部
１１Ｃ  開口部
１１Ｄ  開口部
１１Ｅ  開口部
１２    外面
１２Ａ    外面
１３    傾斜面
１４    開口
１５    当板
１６    下端
１７    下端
１８    上端
１９    上端
１９Ａ  上端
２０    ネット
【図１】
2014181875.tif 000003
【図２】
2014181875.tif 000004
【図３】
2014181875.tif 000005
【図４】
2014181875.tif 000006
【図５】
2014181875.tif 000007
【図６】
2014181875.tif 000008
【図７】
2014181875.tif 000009
【図８】
2014181875.tif 000010
【図９】
2014181875.tif 000011